(57)【要約】      （修正有）【課題】ハンドヘルドデバイスの携行装置を提供する。【解決手段】使用者の腕に固定可能で、しかもハンドヘルドデバイス４０を安定的に装置可能な携行装置で、基板１０、束帯２０、透明フィルム３０により構成する。該基板と該透明フィルムの間は該帯状物により連結し、両者の間には高度差を形成し、これによりハンドヘルドデバイスを装置することができる。該各帯状物は該透明フィルム上に固設し、しかも該各帯状物上にはループ状装置を設置し、該基板上にはマジックテープ（登録商標）装置を対応設置する。該ループ状装置と該マジックテープ（登録商標）装置の粘着接合により、該透明フィルムと該基板は結合する。該束帯は該基板を貫通し結合し、しかも環状を形成し、腕に固定することができる。【選択図】図１
0003145040.tif 000002
【実用新案登録請求の範囲】
【請求項１】
基板、束帯、透明フィルムを含み、
該基板は方形板状で、背面は上、中、下の３部分に分け、該上、下２部分にはマジックテープ（登録商標）装置を設置し、該中央部分には帯状リングを設置し、該帯状リングの上、下両端は該基板上に固定し、該基板背面にはループ状装置を設置し、該ループ状装置は該帯状リングが遮蔽する部位に位置し、
該束帯は細長い形状で、該基板の帯状リングを貫通し、該束帯は該基板片面に向かいマジックテープ（登録商標）装置を設置し、該基板背面のループ状装置と粘着接合し、該束帯の末端には扁平形リングを設置し、これにより該束帯前端を貫通させ、該束帯の前端にはループ状装置を設置し、該束帯は該扁平形リングを貫通し折り返した後、該束帯前端のループ状装置により、該束帯のマジックテープ（登録商標）装置と粘着接合し、
該透明フィルムは方形シート状で、その前縁には１本の前方へと延伸する帯状物を設置し、その後縁には後方へと延伸する１本の帯状物を設置し、その左縁には左側方へと延伸する上、下２本の帯状物を設置し、その右縁には右側方へと延伸する上、下２本の帯状物を設置し、該各帯状物の背面にはすべてループ状装置を設置し、該透明フィルム上の各帯状物は折り返し後、その上のループ状装置は該基板背面のマジックテープ（登録商標）装置と粘着接合し、該透明フィルムと該基板の間には、該ハンドヘルドデバイスを収容可能な空間を形成することを特徴とするハンドヘルドデバイスの携行装置。
【請求項２】
前記透明フィルムの前、後辺縁端には対応辺縁と平行の長方形孔をそれぞれ設置し、その左、右辺縁には対応辺縁と平行の上、下２個の長方形孔をそれぞれ設置し、該各帯状物背面の前端にはマジックテープ（登録商標）装置を設置し、該各帯状物の前端は貫通対応する長方形孔で、その上のマジックテープ（登録商標）装置によりループ上装置と相互に粘着接合し、該各帯状物の一端は環状を形成することを特徴とする請求項１記載のハンドヘルドデバイスの携行装置。
【請求項３】
前記透明フィルム上には少なくとも１個の穿孔を設置し、該ハンドヘルドデバイスのボタンは対応する穿孔より突出可能であることを特徴とする請求項１記載のハンドヘルドデバイスの携行装置。
【請求項４】
前記基板の前端面には一層の薄片を増設し、これにより該薄片と該基板間にはポケットを形成することを特徴とする請求項１記載のハンドヘルドデバイスの携行装置。
【請求項５】
前記ハンドヘルドデバイスの携行装置はさらに少なくとも１枚の延長シートを含み、該延長シートの正面にはマジックテープ（登録商標）装置を設置し、背面にはループ状装置を設置し、該延長シートの一端はその正面のマジックテープ（登録商標）装置と該帯状物のループ状装置により粘着接合され、その反対端はその背面のループ状装置と該基板背面のマジックテープ（登録商標）装置により粘着接合することを特徴とする請求項１記載のハンドヘルドデバイスの携行装置。
【考案の詳細な説明】
【技術分野】
【０００１】
本考案は  ハンドヘルドデバイスの携行装置に関する。特に使用者の腕に固定可能で、しかもハンドヘルドデバイスを安定的に装置することができ、これにより使用者の操作の利便性を図るハンドヘルドデバイスの携行装置に係る。
【背景技術】
【０００２】
視覚情報テクノロジーの発展が目覚しい現代においては、多くの携帯用視覚情報装置が流通している。例えば、携帯電話、マルチメディアプレーヤー(PDA)、MP3プレーヤー、GPS等はすべて携帯用の電子視覚情報製品である。携帯用視覚情報製品の携帯をより軽便とするため、メーカーは体積が小さく、薄く、軽量な製品を設計するようになっている。現在市場ではより先進的な視覚情報製品があり、これらはタッチスクリーン技術を運用し、ボタンを減らし、さらには機体正面に全くボタンがないものもある。
【０００３】
通常ポータブル視覚情報製品の携帯には、バッグやポケットの中に入れたり、カバーに入れたりしている。特許文献１は携帯電話のカバーを掲示する。該カバーはウエストベルトやサスペンダーに掛けて使用することができ、携帯電話を使用する時には、携帯電話を該カバー内から取り出す。該種のカバー構造はマルチメディアプレーヤー(PDA)、MP3プレーヤー等の視覚情報製品の体積に応じてサイズを変化させることができ、該マルチメディアプレーヤー(PDA)、MP3プレーヤーを入れることができる。
【０００４】
しかし、伝統的なカバー装置は製品を収容することができるだけで、それと同時に正常な操作とモニターを見る操作を行うことはできない。例えば、医師が病室を診て回る時には、左手にマルチメディアプレーヤー(PDA)を持ち患者のカルテを見ながら、片手で患者を診察することになり不便である。よって、現在の視覚情報製品のカバーは携帯に主眼を置いており、携帯と使用の機能を並存させることはできていない。
【０００５】
【特許文献１】米国特許第６，１８２，８７８号
【考案の開示】
【考案が解決しようとする課題】
【０００６】
本考案が解決しようとする主要な課題は、腕に固定可能でハンドヘルドデバイスを設置することができる携行装置で、透明フィルムにより該ハンドヘルドデバイスのモニターを覆い、これにより使用者は該ハンドヘルドデバイスを取り出すことなくモニター上の視覚情報を見ることができるハンドヘルドデバイスの携行装置を提供することである。
【０００７】
ハンドヘルドデバイスの携行装置は四周辺にすべて開口部を形成し、これにより使用者は該ハンドヘルドデバイスを取り出し、及び装置することができる。
【０００８】
基板、束帯、透明フィルムを含み、
該基板は主にハンドヘルドデバイスを装置し、その背面にはマジックテープ（登録商標）装置及び帯状リングを設置し、
該束帯は該基板の帯状リングを貫通し、しかも環状を形成し、腕に固定することができ、
該透明フィルムの前後左右四辺には少なくとも１本の帯状物を設置し、該帯状物背面にはループ状装置を設置し、該各帯状物は折り返し後、その上のループ状装置は該基盤背面のマジックテープ（登録商標）装置と粘着接合し、該透明フィルムと該基板の間には該ハンドヘルドデバイスを装置可能な空間を形成する。
【課題を解決するための手段】
【０００９】
請求項１の考案は、ハンドヘルドデバイスの携行装置は、基板、束帯、透明フィルムを含み、
該基板は方形板状で、背面は上、中、下の３部分に分け、該上、下２部分にはマジックテープ（登録商標）装置を設置し、該中央部分には帯状リングを設置し、該帯状リングの上、下両端は該基板上に固定し、該基板背面にはループ状装置を設置し、該ループ状装置は該帯状リングが遮蔽する部位に位置し、
該束帯は細長い形状で、該基板の帯状リングを貫通し、該束帯は該基板片面に向かいマジックテープ（登録商標）装置を設置し、該基板背面のループ状装置と粘着接合し、該束帯の末端には扁平形リングを設置し、これにより該束帯前端を貫通させ、該束帯の前端にはループ状装置を設置し、該束帯は該扁平形リングを貫通し折り返した後、該束帯前端のループ状装置により、該束帯のマジックテープ（登録商標）装置と粘着接合し、
該透明フィルムは方形シート状で、その前縁には１本の前方へと延伸する帯状物を設置し、その後縁には後方へと延伸する１本の帯状物を設置し、その左縁には左側方へと延伸する上、下２本の帯状物を設置し、その右縁には右側方へと延伸する上、下２本の帯状物を設置し、該各帯状物の背面にはすべてループ状装置を設置し、該透明フィルム上の各帯状物は折り返し後、その上のループ状装置は該基板背面のマジックテープ（登録商標）装置と粘着接合し、該透明フィルムと該基板の間には、該ハンドヘルドデバイスを収容可能な空間を形成することを特徴とするハンドヘルドデバイスの携行装置としている。
請求項２の考案は、前記透明フィルムの前、後辺縁端には対応辺縁と平行の長方形孔をそれぞれ設置し、その左、右辺縁には対応辺縁と平行の上、下２個の長方形孔をそれぞれ設置し、該各帯状物背面の前端にはマジックテープ（登録商標）装置を設置し、該各帯状物の前端は貫通対応する長方形孔で、その上のマジックテープ（登録商標）装置によりループ上装置と相互に粘着接合し、該各帯状物の一端は環状を形成することを特徴とする請求項１記載のハンドヘルドデバイスの携行装置としている。
請求項３の考案は、前記透明フィルム上には少なくとも１個の穿孔を設置し、該ハンドヘルドデバイスのボタンは対応する穿孔より突出可能であることを特徴とする請求項１記載のハンドヘルドデバイスの携行装置としている。
請求項４の考案は、前記基板の前端面には一層の薄片を増設し、これにより該薄片と該基板間にはポケットを形成することを特徴とする請求項１記載のハンドヘルドデバイスの携行装置としている。
請求項５の考案は、前記ハンドヘルドデバイスの携行装置はさらに少なくとも１枚の延長シートを含み、該延長シートの正面にはマジックテープ（登録商標）装置を設置し、背面にはループ状装置を設置し、該延長シートの一端はその正面のマジックテープ（登録商標）装置と該帯状物のループ状装置により粘着接合され、その反対端はその背面のループ状装置と該基板背面のマジックテープ（登録商標）装置により粘着接合することを特徴とする請求項１記載のハンドヘルドデバイスの携行装置としている。
【考案の効果】
【００１０】
上記のように、本考案は使用者の腕に固定可能で、しかもハンドヘルドデバイスを安定的に装置することができ、これにより使用者の操作の利便性を図ることができる。
【考案を実施するための最良の形態】
【００１１】
本考案者は市場で見られる携帯電話端末カバーが収容機能しか備えない点に鑑み、ハンドヘルドデバイスの携行装置を研究開発し、該ハンドヘルドデバイスを取り出す必要なく操作可能とする。以下に図を用い、本考案の特徴と機能について詳細に説明する。
【００１２】
図１に示すように、本考案のハンドヘルドデバイスの携行装置１は、主にハンドヘルドデバイス４０を収容設置し、該携行装置１を腕２上に縛固し、携帯の便を図る(図５参照)。該ハンドヘルドデバイス４０は携帯電話、マルチメディアプレーヤー(PDA)、MP3プレーヤー、GPS等、手で持ち使用する視覚情報装置である。図１、２に示すように、市場で見られるハンドヘルドデバイス４０の多くは方形或いは方形に近い形態である。
【００１３】
該基板１０は方形板状で、形状は該ハンドヘルドデバイス４０と相同で、サイズは該ハンドヘルドデバイス４０より大きい。図３に合わせて示すように、該基板１０の背面は上、中、下の３部分に分け、該上、下２部分にはマジックテープ（登録商標）装置１１を設置し、該中央部分には帯状リング１２を設置する。しかも該帯状リング１２の上、下両端は該基板１０上に固定する。また該基板１０背面の中央位置にはループ状装置１３を設置する。該ループ状装置１３は該帯状リング１２が遮蔽する部位に内蔵される。
【００１４】
該束帯２０は細長い形状で、該基板１０背面の帯状リング１２を貫通し、該束帯２０は該基板１０片面に向かいマジックテープ（登録商標）装置２１を設置し、該基板１０背面中央部位のループ状装置１３と粘着接合する。該束帯２０のマジックテープ（登録商標）装置２１の長さは比較的長い形状に設計可能で、個人の習慣に応じて該束帯２０が該帯状リング１２を貫通する長さを調整することができる。該束帯２０の末端には扁平形リング２２を設置し、これにより該束帯２０前端を貫通させる。該束帯２０の前端にはループ状装置２３を設置し、該束帯２０前端は該扁平形リング２２を貫通し折り返した後、前端のループ状装置２３により、それ自身のマジックテープ（登録商標）装置２１と粘着接合し、こうして該束帯２０は環状となる(図５参照)。
【００１５】
該透明フィルム３０は方形シート状で、その形状、サイズは該基板１０と相同或いは相同に近い。該透明フィルム３０上には、それぞれ前後左右辺に少なくとも６本の帯状物３１を設置する。該透明フィルム３０の前縁には１本の帯状物３１を設置し、該帯状物３１は前方へと延伸する。該透明フィルム３０の後縁には１本の帯状物３１を設置し、該帯状物３１は後方へと延伸する。該透明フィルム３０の左縁には上、下２本の帯状物３１を設置し、該帯状物３１は左側方へと延伸する。該透明フィルム３０の右縁には上、下２本の帯状物３１を設置し、該帯状物３１は右側方へと延伸する。図４に合わせて示すように、該各帯状物３１の背面にはループ状装置３２を設置する。該各帯状物３１を折り返すと、その上のループ状装置３２は該基板１０背面のマジックテープ（登録商標）装置１１と粘着接合し、該透明フィルム３０と該基板１０の間には、該ハンドヘルドデバイス４０を収容可能な空間を形成する。
【００１６】
該ハンドヘルドデバイス４０を該透明フィルム３０と該基板１０の間に装置する時、該透明フィルム３０前縁の帯状物３１を該基板１０上から剥がし、図７に示す状態とする。これにより、該透明フィルム３０の前端は開口部を呈し、該ハンドヘルドデバイス４０を該開口部から進入させる。さらに該帯状物３１と該基板１０を粘着接合させ、該ハンドヘルドデバイス４０の脱出を防止する。上記の該ハンドヘルドデバイス４０を該携行装置１内に入れる操作は、該透明フィルム３０後縁の帯状物３１を剥がす方式で開口部を出現させ、或いは該透明フィルム３０左縁或いは右縁の帯状物３１を剥がす方式で開口部を出現させることもできる。よって使用者は該携行装置１の四周から、該ハンドヘルドデバイス４０を取り出し、装置を行うことができる。
【００１７】
本携行装置１は該透明フィルム３０を利用し、該ハンドヘルドデバイス４０のモニター４１を覆い、こうして使用者は該透明フィルム３０の上方から該ハンドヘルドデバイス４０のモニター４１上に表示される視覚情報を見ることができる。図５、６に示すように、該携行装置１は該束帯２０により使用者の腕２上に縛固され、使用者は腕を上げ、或いは頭を下げるだけで、該ハンドヘルドデバイス４０のモニター４１を見ることができ、使用者の両手は自由となり、他の作業を行うことができる。ハイエンドのハンドヘルドデバイス４０はタッチスクリーンを採用するが、この場合にも、使用者は該透明フィルム３０表面の押し位置において、該モニター４１上に表示されるボタンを直接押し、該ハンドヘルドデバイス４０を操作することができる。
【００１８】
該ハンドヘルドデバイス４０上に設置する、ヘッドフォン挿入口、マイク挿入口、メモリースロット等の挿入口或いはスロット(図示なし)には、周辺設備を接続することができる。一方、該ハンドヘルドデバイス４０の挿入口或いはスロットの多くは、左、右側面及び後端面に設置されている。本携行装置１の周辺は、該各帯状物３１の位置の他は中空状であるため、ケーブルの接続に便利である。さらに使用者は正確な位置の帯状物３１を開くだけで、メモリーカードの挿入或いは取り出し操作を行うことができるため、非常に便利に使用することができる。
【００１９】
該透明フィルム３０の上の各帯状物３１は取り外し式であるため、該各帯状物３１の長さの調整に便利である。該透明フィルム３０の前、後辺縁端には対応辺縁と平行の長方形孔３４をそれぞれ設置し、その左、右辺縁端には対応辺縁と平行の上、下２個の長方形孔３４をそれぞれ設置する。該各帯状物３１の背面の前端にはマジックテープ（登録商標）装置３３を設置し、その他の部分にはループ状装置３２を設置する。該各帯状物３１は対応する長方形孔３４、３５を貫通し、折り返し、背面前端のマジックテープ（登録商標）装置３３により、その背面のループ状装置３２と粘着接合し、該帯状の前端において環状を形成し、これにより該各帯状物３１は該透明フィルム３０上に付着する。該携行装置１内のハンドヘルドデバイス４０が比較的薄い場合に、該帯状物３１が該フィルム３０上に付着する時には、前端環状の長さを増やし、該帯状物３１の付着後の長さを短縮する。これにより該帯状物３１の該基板１０背面に粘着接合する長さは長くなりすぎず、剥がし取り外す、及び粘着接合させる操作に有利である。
【００２０】
該透明フィルム３０中央部分の形状、大きさは、該ハンドヘルドデバイス４０の形状、大きさと相同である。図８に示すように、該透明フィルム３０上には少なくとも１個の穿孔３６を設置し、これにより該ハンドヘルドデバイス４０のボタン４２は対応する穿孔３６より突出し、こうして使用者は該ボタン４２を操作、制御することができる。また図９に示すように、該ハンドヘルドデバイス４０は使用時に、他の周辺設備を接続する場合には、適当な位置の帯状物３１上に延長シート６０を接続し、該帯状物３１の長さを拡張することができる。該延長シート６０の正面にはマジックテープ（登録商標）装置６１を設置し、該帯状物３１のループ状装置３２と粘着接合し、その背面にはループ状装置６２を設置し、該基板１０背面のマジックテープ（登録商標）装置１１と粘着接合させることができる。こうして該周辺設備５０は該携行装置１上に一緒に固定される。
【００２１】
該基板１０の前端面には一層の薄片１４を増設し、これにより該薄片１４と該基板１０の間にはポケット１５を形成し、クレジットカード、メモリーカード等の扁平状物品１６を収容することができる。
【００２２】
上記のように、本考案が提供するハンドヘルドデバイス４０の携行装置は、主に携帯電話、マルチメディアプレーヤー(PDA)、MP3プレーヤー、GPS等ハンドヘルド視覚情報装置を設置可能で、携帯することができる。本考案装置内に設置するハンドヘルドデバイスは、取り出す必要がなくモニター上に表示されるデータを見ることができ、ボタン操作を行うことができ、使用上きわめて便利である。
【図面の簡単な説明】
【００２３】
【図１】本考案実施例の外観図である。
【図２】図１が示す実施の分解図である。
【図３】図１中基板の別の角度の外観図である。
【図４】図１中帯状物の外観図である。
【図５】図１が示す実施例の使用状態図である。
【図６】図５の俯瞰図である。
【図７】図１が示す実施例のハンドヘルドデバイス取り出し、装置の操作図である。
【図８】穿孔を備える透明フィルムの使用状態図である。
【図９】図１が示す実施例中帯状物接続延長シートの外観図である。
【図１０】図９中延長シートの反面立体図である。
【符号の説明】
【００２４】
１  携行装置
２  腕
１０  基板
１１  マジックテープ（登録商標）装置
１２  帯状リング
１３  ループ状装置
１４  薄片
１５  ポケット
１６  扁平状物品
２０  束帯
２１  マジックテープ（登録商標）装置
２２  扁平形リング
３０  透明フィルム
３１  帯状物
３２  ループ状装置
３３  マジックテープ（登録商標）装置
３４  長方形孔
３５  長方形孔
３６  穿孔
４０  ハンドヘルドデバイス
４１  モニター
４２  ボタン
５０  周辺設備
６０  延長シート
６１  マジックテープ（登録商標）装置
６２  ループ状装置
【図１】
0003145040.tif 000003
【図２】
0003145040.tif 000004
【図３】
0003145040.tif 000005
【図４】
0003145040.tif 000006
【図５】
0003145040.tif 000007
【図６】
0003145040.tif 000008
【図７】
0003145040.tif 000009
【図８】
0003145040.tif 000010
【図９】
0003145040.tif 000011
【図１０】
0003145040.tif 000012